(57)【要約】【課題】タンク式の給湯機において、１台の給湯機に対して複数の浴槽を接続可能な給湯機を提供する。【解決手段】タンク１０内の高温熱媒体と当該高温熱媒体よりも低温の低温水とを利用して一般給湯端末に給湯する一般給湯経路２０と、タンク１０内の高温熱媒体と当該高温熱媒体よりも低温の低温水とを利用して浴槽Ａ，Ｂに給湯する浴槽給湯経路３０と、を備え、浴槽給湯経路３０は、各浴槽Ａ，Ｂに接続する配管４５，４８，４９，５０（分岐経路）と、この分岐経路の分岐部Ｓ１に各分岐経路への給湯状態を切換可能な第１浴槽切替三方弁Ｖ５、第２浴槽切替三方弁Ｖ６（弁機構）と、を備える。【選択図】図１
2013113514.tif 000002
【特許請求の範囲】
【請求項１】
タンク内の高温熱媒体と当該高温熱媒体よりも低温の低温水とを利用して一般給湯端末に給湯する一般給湯経路と、
タンク内の高温熱媒体と当該高温熱媒体よりも低温の低温水とを利用して浴槽端末に給湯する浴槽給湯経路と、を備え、
前記浴槽端末を複数台備え、
前記浴槽給湯経路は、各浴槽端末に接続する分岐経路と、前記分岐経路の分岐部に前記各分岐経路への給湯状態を切換可能な弁機構と、を備えることを特徴とする給湯機。
【請求項２】
前記浴槽端末を２台備え、
一方の前記浴槽端末に浴槽水が貯留している場合、前記弁機構を介して前記分岐経路を切り換えて、前記浴槽給湯経路に設けられた風呂循環ポンプを運転することで、一方の前記浴槽端末の浴槽水を他方の前記浴槽端末に移動させることを特徴とする請求項１に記載の給湯機。
【請求項３】
前記浴槽給湯経路は、浴槽水を加熱する浴槽水加熱経路を備えることを特徴とする請求項１または請求項２に記載の給湯機。
【発明の詳細な説明】
【技術分野】
【０００１】
本発明は、タンク式の給湯機に関する。
【背景技術】
【０００２】
従来、タンク式の給湯機は、浴槽端末に給湯する浴槽給湯経路（湯はり経路）を１経路と、一般給湯端末（蛇口、シャワーなど）に給湯する一般給湯経路を１経路備えている（例えば、特許文献１参照）。
【先行技術文献】
【特許文献】
【０００３】
【特許文献１】特開２０１１−１９６５８８号公報
【発明の概要】
【発明が解決しようとする課題】
【０００４】
ところで、従来のタンク式の給湯機では、給湯機（貯湯ユニット）１台に対して浴槽の設置台数は１台であったため、浴槽を複数使用する場合は、給湯機を２台設置する必要があった。このため、給湯機１台で複数の浴槽を制御できないかという要求がある。しかし、浴槽に給湯する浴槽給湯経路（湯はり経路）は１箇所しか設けられていないため、給湯機１台に対して複数の浴槽を接続することができなかった。
【０００５】
本発明は、タンク式の給湯機において、１台の給湯機に対して複数の浴槽を接続可能な給湯機を提供することを目的とする。
【課題を解決するための手段】
【０００６】
本発明は、タンク内の高温熱媒体と当該高温熱媒体よりも低温の低温水とを利用して一般給湯端末に給湯する一般給湯経路と、タンク内の高温熱媒体と当該高温熱媒体よりも低温の低温水とを利用して浴槽端末に給湯する浴槽給湯経路と、を備え、前記浴槽端末を複数台備え、前記浴槽給湯経路は、各浴槽端末に接続する分岐経路と、前記分岐経路の分岐部に前記各分岐経路への給湯状態を切換可能な弁機構と、を備えることを特徴とする。
【発明の効果】
【０００７】
本発明によれば、タンク式の給湯機において、１台の給湯機に対して複数の浴槽を接続可能な給湯機を提供できる。
【図面の簡単な説明】
【０００８】
【図１】本実施形態に係る給湯機におけるタンク内の湯を利用した浴槽給湯を示す全体構成図である。
【図２】一方の浴槽から他方の浴槽への浴槽給湯を示す全体構成図である。
【図３Ａ】浴槽Ａの湯はり時の制御を示すフローチャートである。
【図３Ｂ】浴槽Ａの湯はり時の制御を示すフローチャートである。
【図４】本実施形態に係る給湯機の変形例を示す全体構成図である。
【発明を実施するための形態】
【０００９】
以下、本発明に係る実施形態の給湯機１について図面を参照して説明する。まず、給湯機１の全体の構成について図１を参照して説明する。なお、図１および図２では、制御部４と各種弁およびセンサなどとの接続の図示を省略している。
【００１０】
図１は、本実施形態に係る給湯機におけるタンク内の湯を利用した浴槽給湯を示す全体構成図、図２は、一方の浴槽から他方の浴槽への浴槽給湯を示す全体構成図である。なお、図１では、通常の浴槽Ａの湯はり時の流れ、図２では、浴槽Ｂから浴槽Ａへの浴槽水の移動時の流れ、をそれぞれ配管に太線を入れて示している。
【００１１】
図１および図２に示すように、給湯機１は、貯湯ユニット２、ヒートポンプユニット３、浴槽Ａ、浴槽Ｂなどで構成されている。貯湯ユニット２は、タンク１０、一般給湯経路２０、浴槽給湯経路３０などを備えている。
【００１２】
タンク１０は、例えば、ステンレス鋼などの材料によって、円筒形状の胴板、この胴板の上部の開口を覆う上部鏡板、胴板の下部開口を覆う下部鏡板の３部材で構成されている。
【００１３】
タンク１０には、水道管２１からの水道水が、配管２２、減圧弁Ｖ１、配管２３を順次介してタンク１０の下部１０ａに導入されるように構成されている。配管２２には、ストレーナＳＴが設けられている。
【００１４】
タンク１０の下部１０ａの水は、配管３１、三方弁Ｖ１０、配管３２を順次介してヒートポンプユニット３に導かれ、ヒートポンプユニット３で加熱されて温水となった後、配管３３を介してタンク１０の上部１０ｂに導かれ、タンク１０内に貯湯される。また、配管３３には、バイパス配管３４が分岐して接続され、バイパス配管３４が三方弁Ｖ１０と接続されている。
【００１５】
ヒートポンプユニット３は、タンク１０の下部１０ａから取り出した水の沸き上げなどに用いるものであり、例えば、冷媒（例えば、二酸化炭素）を圧縮して高温・高圧にするコンプレッサと、コンプレッサからの冷媒を凝縮させるとともにタンク１０からの水を熱交換することによって加熱するコンデンサと、コンデンサからの冷媒を膨張させる膨張弁と、大気中の熱を吸熱して膨張した冷媒を蒸発させるエバポレータと、を備えて構成されている。
【００１６】
タンク１０内の温水の温度は、例えば、タンク１０内の下部から上部にいくにしたがって、相対的に低温、中温、高温の温度分布となっている。なお、高温熱媒体とは、例えば６５℃から９０℃の温度範囲のものを意味している。ただし、高温熱媒体と、この高温熱媒体の温度よりも低い低温水（例えば、水道管２１から供給される水道水）とを利用して一般給湯や浴槽給湯を行うものであれば、前記した温度範囲に限定されるものではない。
【００１７】
また、タンク１０には、鉛直方向に沿って、貯湯される温水の温度を検出する複数のサーミスタ１１，１２，１３，１４，１５，１６が上部から下部に間隔を置いて配置されている。これらのサーミスタ１１，１２，１３，１４，１５，１６によって検出されたタンク１０内の温水温度を示す検出信号は、制御部４に出力され、給湯機１の制御に使用される。
【００１８】
一般給湯経路２０は、台所、洗面所、風呂場などの蛇口やシャワー等の一般給湯端末（不図示）に給湯するものであり、供給された湯を一度利用して完了するような利用形態のものを意味している。この一般給湯経路２０は、配管２２，２４，２５，４１によって構成されている。
【００１９】
また、一般給湯経路２０には、給湯混合弁Ｖ２が設けられ、この給湯混合弁Ｖ２の一方（高温熱媒体側）の導入ポートに配管４１の下流端が接続され、他方（低温水側）の導入ポートに配管２４の下流端が接続され、導出ポートに配管２５の上流端が接続されている。給湯混合弁Ｖ２は、制御部４によって、配管４１からの湯（高温熱媒体）と配管２４からの水（低温水）との混合比率が制御される。
【００２０】
また、一般給湯経路２０には、配管２５に上流側から給湯流量センサＦＳ１、給湯温度センサＴＳ１が設けられている。制御部４は、給湯流量センサＦＳ１によって検出された流量と給湯温度センサＴＳ１によって検出された給湯温度とに基づいて、台所リモコンＲ１で設定された給湯温度となるように給湯混合弁Ｖ２での混合比率を制御する。
【００２１】
浴槽給湯経路３０は、浴槽Ａ，Ｂに給湯する回路であり、配管２２，２６，４１〜５０によって構成されている。なお、配管２２、配管４１の一部は、一般給湯経路２０と配管を共有している。
【００２２】
また、浴槽給湯経路３０には、風呂混合弁Ｖ３、風呂電磁弁Ｖ４、第１浴槽切替三方弁Ｖ５、第２浴槽切替三方弁Ｖ６、循環調整弁Ｖ７、風呂循環ポンプＰ、浴槽水加熱経路６０が設けられている。
【００２３】
風呂混合弁Ｖ３は、一方（高温熱媒体側）の導入ポートに配管４２の下流端が接続され、他方（低温水側）の導入ポートに配管２６の下流端が接続され、導出ポートに配管４３の上流端が接続されている。また、風呂混合弁Ｖ３は、制御部４によって、配管４２からの湯（高温熱媒体）と配管２６からの水（低温水）との混合比率が制御される。
【００２４】
風呂電磁弁Ｖ４は、浴槽Ａまたは浴槽Ｂの湯はり時に開弁するＯＮ／ＯＦＦ式の弁（遮断弁）であり、導入ポートが配管４３を介して風呂混合弁Ｖ３の導出ポートと接続され、配管４４を介して第１浴槽切替三方弁Ｖ５の導入ポートと接続されている。
【００２５】
また、配管４４には、風呂電磁弁Ｖ４側から第１浴槽切替三方弁Ｖ５側に向けて順に風呂流量センサＦＳ２、浴槽Ａおよび浴槽Ｂの水位を検出する水位センサＬＳ、風呂戻り温度センサＴＳ２が設けられている。風呂流量センサＦＳ２は、配管４４と配管４６との分岐部Ｓ１よりも風呂電磁弁Ｖ４側に位置し、水位センサＬＳおよび風呂戻り温度センサＴＳ２は、分岐部Ｓ１よりも第１浴槽切替三方弁Ｖ５側に位置している。
【００２６】
第１浴槽切替三方弁Ｖ５は、浴槽Ａ側と浴槽Ｂ側のいずれかに切換える弁であり、配管４５を介して浴槽Ａの循環アダプタＡＤ１の一方の接続ポートと接続され、配管４９を介して浴槽Ｂの循環アダプタＡＤ２の一方の接続ポートと接続されている。すなわち、第１浴槽切替三方弁Ｖ５は、配管４４と配管４５とを連通させる浴槽Ａ接続状態（第１状態）と、配管４４と配管４９とを連通させる浴槽Ｂ接続状態（第２状態）とのいずれかに設定可能な弁である。なお、循環アダプタＡＤ１は、例えば、浴槽Ａの内壁側面の下部に取り付けられ、循環アダプタＡＤ２は、浴槽Ｂの内壁側面の下部に取り付けられている。
【００２７】
第２浴槽切替三方弁Ｖ６は、浴槽Ａ側と浴槽Ｂ側のいずれかに切換える弁であり、配管４８を介して浴槽Ａの循環アダプタＡＤ１の他方の接続ポートと接続され、配管５０を介して浴槽Ｂの循環アダプタＡＤ２の他方の接続ポートと接続されている。すなわち、第２浴槽切替三方弁Ｖ６は、配管４７と配管４８とを連通させる浴槽Ａ接続状態（第１状態）と、配管４７と配管５０とを連通させる浴槽Ｂ接続状態（第２状態）とのいずれかに設定可能な弁である。
【００２８】
なお、本実施形態では、配管４５，４８，４９，５０によって分岐経路が構成され、第１浴槽切替三方弁Ｖ５、第２浴槽切替三方弁Ｖ６によって弁機構が構成されている。また、第１浴槽切替三方弁Ｖ５と第２浴槽切替三方弁Ｖ６が位置している部分が分岐部に相当する。
【００２９】
循環調整弁Ｖ７は、配管４７への流量と浴槽水加熱経路６０への流量を調整可能な弁であり、一方の導出ポートが配管４７の上流端と接続され、他方の導出ポートが浴槽水加熱経路６０の上流端と接続され、導入ポートには配管４４から分岐して接続された配管４６が接続されている。
【００３０】
風呂循環ポンプＰは、配管４６に設けられ、制御部４によって駆動されることにより、浴槽Ａに貯留された浴槽水または浴槽Ｂに貯留された浴槽水を循環調整弁Ｖ７に向けて導出するように構成されている。また、配管４６には、循環調整弁Ｖ７と風呂循環ポンプＰとの間に水流スイッチＦＳＷが設けられている。この水流スイッチＦＳＷは、流体が流れることでＯＮになり、流体の流れが無くなることでＯＦＦになる機能を有する。
【００３１】
浴槽水加熱経路６０は、浴槽Ａに貯留された浴槽水または浴槽Ｂに貯留された浴槽水を加熱する（暖める）機能を有し、追いだき熱交換器６１、配管６２，６３で構成されている。
【００３２】
追いだき熱交換器６１は、コイル状に巻回して構成され、タンク１０内の上部に配置されている。配管６２は、循環調整弁Ｖ７の導出ポートから延び、タンク１０を貫通して、タンク１０内の追いだき熱交換器６１の上流端と接続されている。配管６３は、上流端が追いだき熱交換器６１の下流端と接続され、タンク１０を貫通して延び、配管４７の途中と接続されている。また、配管６３には、追いだき熱交換器６１で加熱された後の浴槽水の温度を検出する追いだき温度センサＴＳ３が設けられている。
【００３３】
なお、浴槽水加熱経路６０は、本実施形態の構成に限定されるものではなく、電気ヒータなどの加熱手段で暖めるものであってもよく、またはタンク１０の外部に設けられた熱交換器によって暖められるものであってもよい。
【００３４】
なお、配管２２〜２４，２６，４１〜４４には、図１において矢印で示す方向の流れのみを許容する逆止弁ＣＶがそれぞれ設けられている。また、配管４４には、浴槽Ａ，Ｂ側（二次側）から１次側への逆流を防止する逆流防止装置７０が設けられている。また、配管４２には、配管８１を介して逃がし弁８０が設けられている。また、タンク１０の下部１０ａには、配管９１を介して手動式の排水弁９０が設けられている。
【００３５】
制御部４は、ＣＰＵ、プログラムを記憶したＲＯＭ、ＲＡＭ、入出力インターフェイスなどで構成され、給湯混合弁Ｖ２、風呂混合弁Ｖ３、風呂電磁弁Ｖ４、第１浴槽切替三方弁Ｖ５、第２浴槽切替三方弁Ｖ６、循環調整弁Ｖ７、三方弁Ｖ１０、風呂循環ポンプＰ、ヒートポンプユニット３を制御する。
【００３６】
また、制御部４は、サーミスタ１１〜１６で検出されたそれぞれのタンク内温度（検出信号）、給湯流量センサＦＳ１および風呂流量センサＦＳ２で検出された各流量（検出値）、水位センサＬＳで検出された水位（検出値）、給湯温度センサＴＳ１、風呂戻り温度センサＴＳ２および追いだき温度センサＴＳ３で検出された各温度（検出値）、水流スイッチＦＳＷで検出されたＯＮ信号を、それぞれ取得する。
【００３７】
また、制御部４は、台所リモコンＲ１からの各種操作信号、風呂リモコンＲ２，Ｒ３からの各種操作信号を取得する。台所リモコンＲ１には、給湯機１の運転を開始する運転開始ボタン、給湯温度を設定する給湯温度設定ボタンなどが設けられている。風呂リモコンＲ２には、浴槽Ａの湯はりを開始する湯はり開始ボタン、追いだきボタン、給湯量を設定する湯量設定ボタンなどが設けられている。同様に、風呂リモコンＲ３には、浴槽Ｂの湯はりを開始する湯はり開始ボタン、追いだきボタン、湯量設定ボタンなどが設けられている。
【００３８】
次に、本実施形態に係る給湯機１の湯はり制御について図３Ａおよび図３Ｂを参照（適宜、図１および図２を参照）して説明する。図３Ａおよび図３Ｂは、湯はり時の制御を示すフローチャートである。なお、以下では、浴槽Ａに湯はりする場合について説明する。
【００３９】
まず、利用者が風呂リモコンＲ２に設けられた浴槽Ａの湯はり開始ボタンを操作すると、図３Ａに示すように、ステップＳ１０において、制御部４は、風呂リモコンＲ２からの湯はり開始信号を取得し、浴槽Ａの湯はりを開始する。これにより、制御部４は、第１浴槽切替三方弁Ｖ５を浴槽Ａ接続状態（第１状態、配管４４と配管４５とが連通する状態）、かつ、第２浴槽切替三方弁Ｖ６を浴槽Ａ接続状態（第１状態、配管４７と配管４８とが連通する状態）にそれぞれ切換える。
【００４０】
そして、ステップＳ２０に進み、制御部４は、浴槽Ｂを使用しているか否かを判定する。なお、浴槽Ｂが湯はり中、浴槽Ｂが湯はり後の保温中などである場合に浴槽Ｂを使用していると判定する。すなわち、制御部４は、風呂リモコンＲ２から湯はり信号、保温信号を取得した場合、浴槽Ｂが使用中であると判定する。
【００４１】
ステップＳ２０において、制御部４は、浴槽Ｂを使用していないと判定した場合には（Ｎｏ）、ステップＳ３０に進み、浴槽Ｂの残湯を確認する。すなわち、制御部４は、第１浴槽切替三方弁Ｖ５を浴槽Ｂ接続状態（第２状態、配管４４と配管４９とを連通させる状態）、かつ、第２浴槽切替三方弁Ｖ６を浴槽Ｂ接続状態（第２状態、配管４７と配管５０とを連通させる状態）とした後、水位センサＬＳによって、残湯ありまたは残湯なしを確認する（判定する）。すなわち、水位センサＬＳは、浴槽Ｂの循環アダプタＡＤ２の全体が浴槽水に浸かっていれば検出値（水位）が出力されるので、検出値が出力されれば残湯ありと判定することができ、検出値（水位）が出力されなければ、残湯なしと判定することができる。
【００４２】
ステップＳ３０において、制御部４は、浴槽Ｂの残湯ありと判定した場合には（Ｙｅｓ）、ステップＳ４０に進み、浴槽Ｂの浴槽水の温度を検出する。この浴槽Ｂの浴槽水の温度は、風呂戻り温度センサＴＳ２によって検出される。なお、ステップＳ３０において、制御部４は、浴槽Ｂの残湯なしと判定した場合には（Ｎｏ）、後記するステップＳ１３０に進む。
【００４３】
そして、ステップＳ５０に進み、制御部４は、第２浴槽切替三方弁Ｖ６を浴槽Ａ接続状態（第１状態、配管４７と配管４８とを連通させる状態）に切換え、循環調整弁Ｖ７をバイパス側（配管４７側、追いだき熱交換器６１をバイパスする側）に切換える。これにより、第１浴槽切替三方弁Ｖ５が浴槽Ｂ接続状態、第２浴槽切替三方弁Ｖ６が浴槽Ａ接続状態になる。
【００４４】
そして、ステップＳ６０に進み、制御部４は、ステップＳ４０で検出された浴槽Ｂの浴槽水の温度が浴槽Ａの設定温度より低いか否かを判定し、浴槽Ｂの浴槽水の温度が浴槽Ａの設定温度より低いと判定した場合には（Ｙｅｓ）、ステップＳ７０に進む。ちなみに、浴槽Ｂが湯はり完了直後などであれば、浴槽Ｂの浴槽水は、浴槽Ａの設定温度前後の温度であり、浴槽Ｂが湯はり完了から長時間が経過していれば、浴槽Ｂの浴槽水は、浴槽Ａの設定温度よりも低いぬるま湯や水に近い温度である。
【００４５】
ステップＳ７０において、制御部４は、風呂循環ポンプＰの運転を開始する。これにより、浴槽Ｂの浴槽水（残湯）は、配管４９を介して抜き取られ、そして、第１浴槽切替三方弁Ｖ５、配管４４の一部、配管４６を介して循環調整弁Ｖ７に送られる。このとき循環調整弁Ｖ７がバイパス側に切換えられているので、循環調整弁Ｖ７に送られた浴槽Ｂの浴槽水の全量が配管４７に導入され、第２浴槽切替三方弁Ｖ６、配管４８を介して浴槽Ａに供給されるようになっている。また、風呂循環ポンプＰの運転が開始されると、水流スイッチＦＳＷがＯＮ（オン）になる。
【００４６】
そして、ステップＳ８０に進み、制御部４は、風呂戻り温度センサＴＳ２と追いだき温度センサＴＳ３のそれぞれの温度により、浴槽Ｂの浴槽水の温度が浴槽Ａの設定温度になるように循環調整弁Ｖ７の開度を調整する。
【００４７】
すなわち、循環調整弁Ｖ７の開度を、バイパス側から追いだき熱交換器６１側に徐々に切り替えることにより、浴槽Ｂの浴槽水の一部が配管６２を介して追いだき熱交換器６１に導入され、タンク１０内の高温熱媒体（高温水）との熱交換によって浴槽水が加熱された後、配管６３を介して配管４７に導出される。そして、配管４７からの湯水と配管６３からの湯とが合流した浴槽Ｂの浴槽水は、第２浴槽切替三方弁Ｖ６、配管４８を通って浴槽Ａに供給される（図２参照）。このように、制御部４は、風呂戻り温度センサＴＳ２と追いだき温度センサＴＳ３のそれぞれの温度を確認しながら循環調整弁Ｖ７の開度を調整するようになっている。
【００４８】
そして、ステップＳ９０に進み、制御部４は、水流スイッチＦＳＷがＯＦＦ（オフ）であるか否かを判定する。すなわち、浴槽Ｂの浴槽水を浴槽Ａに移動させると、浴槽Ｂの浴槽水が徐々に減少して、浴槽Ｂの浴槽水の水面が循環アダプタＡＤ２より低下すると、風呂循環ポンプＰで浴槽Ｂの浴槽水を取り出すことができなくなり、水流スイッチＦＳＷがＯＦＦ（オフ）になる。
【００４９】
ステップＳ９０において、制御部４は、水流スイッチＦＳＷがＯＦＦではないと判定した場合には（Ｎｏ）、ステップＳ８０に戻り、水流スイッチＦＳＷがＯＦＦであると判定した場合には（Ｙｅｓ）、図３ＢのステップＳ１２０に進む。
【００５０】
一方、ステップＳ６０において、制御部４は、ステップＳ４０で検出した浴槽Ｂの浴槽水の温度が、浴槽Ａの設定温度より低くない場合（Ｎｏ）、浴槽Ｂの浴槽水の温度が浴槽Ａの設定温度と同じか浴槽Ａの設定温度より高い場合、ステップＳ１００に進む。例えば、浴槽Ｂの浴槽水の温度が４２℃、浴槽Ａの設定温度が４０℃の場合である。
【００５１】
ステップＳ１００において、制御部４は、風呂循環ポンプＰの運転を開始する。これにより、浴槽Ｂの浴槽水（残湯）は、配管４９、第１浴槽切替三方弁Ｖ５、配管４４，４６、循環調整弁Ｖ７、配管４７、第２浴槽切替三方弁Ｖ６、配管４８を介して浴槽Ａに移動する（図２参照）。このように、浴槽Ｂの浴槽水の温度が浴槽Ａの設定温度と同じかそれ以上の場合には（Ｓ６０、Ｎｏ）、浴槽Ｂの浴槽水を追いだき熱交換器６１で加熱することなく浴槽Ｂの浴槽水をそのまま浴槽Ａに移動させる。なお、風呂循環ポンプＰの運転が開始されると、水流スイッチＦＳＷがＯＮ（オン）になる。
【００５２】
そして、ステップＳ１１０に進み、制御部４は、水流スイッチＦＳＷがＯＦＦであるか否かを判定し、水流スイッチＦＳＷがＯＦＦではない（ＯＮである）と判定した場合には（Ｎｏ）、ステップＳ１１０の処理を繰り返し、水流スイッチＦＳＷがＯＦＦであると判定した場合には（Ｙｅｓ）、図３ＢのステップＳ１２０に進む。
【００５３】
図３Ｂに示すように、ステップＳ１２０において、制御部４は、風呂循環ポンプＰの運転を停止し、第１浴槽切替三方弁Ｖ５を浴槽Ａ接続状態に切換え、循環調整弁Ｖ７をバイパス側に切換え、風呂電磁弁Ｖ４を閉じる。これにより、第１浴槽切替三方弁Ｖ５、第２浴槽切替三方弁Ｖ６および循環調整弁Ｖ７の弁の状態が、浴槽Ａの通常の湯はり状態となる。
【００５４】
そして、ステップＳ１４０に進み、制御部４は、浴槽Ａの設定温度になるように風呂混合弁Ｖ３の開度を調整し、風呂電磁弁Ｖ４を開にして、所定量の湯を供給した後、風呂電磁弁Ｖ４を閉じる。
【００５５】
すなわち、図１において太線で示すように、タンク１０の上部から取り出された高温水（高温熱媒体）が配管４１，４２を介して風呂混合弁Ｖ３に導入されるとともに、水道管２１からの水道水（高温熱媒体よりも低温の低温水）が配管２２，２６を介して風呂混合弁Ｖ３に導入され、風呂戻り温度センサＴＳ２によって検出される温度が浴槽Ａの設定温度になるように風呂混合弁Ｖ３での混合比率が制御される。これにより、風呂混合弁Ｖ３で混合された湯は、配管４３，４４，４５を介して浴槽Ａの循環アダプタＡＤ１の一方の開口から吐出される。
【００５６】
またこのとき、循環調整弁Ｖ７が追いだき熱交換器６１をバイパスする側に切り換えられているので、風呂混合弁Ｖ３で混合された湯は、配管４３，４４から配管４６に導入され，配管４６に導入された湯の全量が配管４７，４８を介して浴槽Ａの循環アダプタＡＤ１のもう一方の開口から吐出される。
【００５７】
なお、所定量とは、予め決められた量であり、浴槽Ａが空の状態から浴槽Ａの循環アダプタＡＤ１の全体が浸かるまでの量を意味している。ただし、浴槽Ｂの浴槽水を浴槽Ａに移動させた場合、浴槽Ａにはすでに浴槽水が貯留しているので、ステップＳ１４０において、所定量の湯を浴槽Ａに供給すると、浴槽水が循環アダプタＡＤ１を超えることになる。
【００５８】
そして、ステップＳ１５０に進み、制御部４は、水位センサＬＳで浴槽Ａの現在の水位を確認し、風呂リモコンＲ２に設定された浴槽Ａの設定湯量になるように注湯量（給湯量）を計算する。すなわち、制御部４は、設定湯量から、水位センサＬＳの検出値に相当する湯量を減算し、残りの湯量を計算する。なお、前記したステップＳ１４０において、所定量として、浴槽Ａの循環アダプタＡＤ１の全体が浸かるまでの量に設定することにより、浴槽Ｂの浴槽水を浴槽Ａに移動させたときに、浴槽Ａの浴槽水の水位が循環アダプタＡＤ１の全体が浸かるまでの水位でない場合であっても、そこから所定量の湯を追加することにより、循環アダプタＡＤ１の全体が浸かるまで浴槽水の水位を上げることができ、ステップＳ１５０において、浴槽Ａの水位を確実に検出できる。
【００５９】
そして、ステップＳ１６０に進み、制御部４は、風呂電磁弁Ｖ４を開にして、ステップＳ１５０で計算した給湯量（注湯量）の湯を浴槽Ａに入れる。風呂電磁弁Ｖ４が開にされることにより、風呂混合弁Ｖ３で混合された湯が再び浴槽Ａに向けて供給される。
【００６０】
ステップＳ１６０で計算した湯を入れた後、ステップＳ１７０に進み、制御部４は、浴槽Ａに供給された浴槽水（湯）の温度を検出する。この浴槽水の温度は、風呂戻り温度センサＴＳ２によって検出される。
【００６１】
そして、ステップＳ１８０に進み、制御部４は、ステップＳ１７０で検出された浴槽Ａの浴槽水の温度が浴槽Ａの設定温度であるか否かを判定する。ステップＳ１８０において、制御部４は、浴槽Ａの設定温度であると判定した場合には（Ｙｅｓ）、ステップＳ２１０に進み、湯はり完了と判定する。なお、湯はり完了と判定した場合には、風呂電磁弁Ｖ４を閉じる。
【００６２】
また、ステップＳ１８０において、制御部４は、浴槽Ａの設定温度でない（設定温度よりも低い）と判定した場合には（Ｎｏ）、ステップＳ１９０に進み、風呂循環ポンプＰの運転を開始する。なお、このとき、制御部４は、風呂電磁弁Ｖ４を閉じる制御を行う。風呂循環ポンプＰの運転を開始することにより、浴槽Ａ内の浴槽水が、配管４５，４４，４６、循環調整弁Ｖ７、配管４７，４８を通って浴槽Ａに戻るようにして循環する。
【００６３】
そして、ステップＳ２００に進み、制御部４は、風呂戻り温度センサＴＳ２と追いだき温度センサＴＳ３により、浴槽Ａの設定温度になるように循環調整弁Ｖ７の開度を調整する。すなわち、浴槽Ａから配管４５，４４，４６に導出された浴槽水について、循環調整弁Ｖ７によって追いだき熱交換器６１側と、配管４７側（追いだき熱交換器６１をバイパスする側）との分配比率を調整しながら循環させる。このとき、風呂戻りセンサＴＳ２と追いだき温度センサＴＳ３とのそれぞれの温度を確認しながら、追いだき熱交換器６１に導入する流量を循環調整弁Ｖ７により調整する。
【００６４】
そして、ステップＳ１７０に戻り、制御部４は、浴槽Ａの浴槽水の温度を検出し、ステップＳ１８０に進み、浴槽Ａの設定温度であるか否かを再度判定する。ステップＳ１８０において、制御部４は、浴槽Ａの設定温度であると判定した場合には（Ｙｅｓ）、湯はり完了と判定し（Ｓ２１０）、風呂循環ポンプＰの運転を停止する。
【００６５】
一方、図３ＡのステップＳ２０において、制御部４は、浴槽Ｂを使用していると判定した場合（Ｙｅｓ）、つまり浴槽Ｂが湯はり中、湯はり後の保温中などであって、風呂リモコンＲ３から湯はり信号や保温信号を取得した場合には、ステップＳ１３０に進み、浴槽Ａに対して通常の湯はりを行う。すなわち、制御部４は、第１浴槽切替三方弁Ｖ５を浴槽Ａ側に切換え、かつ、第２浴槽切替三方弁Ｖ６を浴槽Ａ側に切換え、循環調整弁Ｖ７をバイパス側に切換える。
【００６６】
そして、ステップＳ１４０に進み、制御部４は、浴槽Ａの設定温度となるように風呂混合弁Ｖ３の開度を調整し、風呂電磁弁Ｖ４を開にして、所定量の湯を供給した後、風呂電磁弁Ｖ４を閉じる（図１参照）。このようにして、浴槽Ａにまず所定量の湯を供給することにより、ステップＳ１５０で浴槽Ａの水位を検出できるようになり、残りの湯量を計算することができる。その後、ステップＳ１６０ないしＳ１８０の処理またはステップＳ１６０ないしステップＳ２００の処理を行って、浴槽Ａの湯張りを完了する（Ｓ２１０）。
【００６７】
なお、本実施形態では、浴槽Ａの湯はりについて説明したが、浴槽Ｂの湯はりについても、第１浴槽切替三方弁Ｖ５と第２浴槽切替三方弁Ｖ６との切換えが浴槽Ａの湯はりの場合とは逆になるだけで、浴槽Ａの湯はりと同様にして構成することができる。
【００６８】
以上説明したように、本実施形態に係る給湯機１によれば、一般給湯経路２０と浴槽給湯経路３０と、浴槽Ａ，Ｂ（複数の浴槽端末）とを備え、浴槽給湯経路３０に、各浴槽Ａ，Ｂに接続する配管４５，４８，４９，５０（分岐経路）と、この分岐経路の分岐部に各分岐経路への給湯状態を切換可能な第１浴槽切替三方弁Ｖ５および第２浴槽切替三方弁Ｖ６（弁機構）と、が備えられることにより、１台の貯湯ユニット（給湯機１）に対して複数の浴槽Ａ，Ｂを接続することが可能になる。
【００６９】
また、本実施形態によれば、２台の浴槽Ａ，Ｂを備え、浴槽Ｂに浴槽水が貯留している場合、第１浴槽切替三方弁Ｖ５および第２浴槽切替三方弁Ｖ６（弁機構）を介して分岐経路（配管４５，４８，４９，５０）を切り換えて、浴槽給湯経路３０に設けられた風呂循環ポンプＰを運転することで、浴槽Ｂの浴槽水を浴槽Ａに移動させることができる（図２参照）。このようにして、浴槽Ｂの浴槽水を浴槽Ａの湯はり時のお湯に利用できることにより、節水性を高めることができる。また、本実施形態によれば、浴槽Ｂの浴槽水の熱を浴槽Ａの湯はり時の湯に取り込むことができるので、浴槽Ａの湯はりに必要な熱量を削減することができ、省エネルギ化を図ることが可能になる。
【００７０】
また、本実施形態によれば、浴槽給湯経路３０に浴槽水を加熱する浴槽水加熱経路６０を備えているので、浴槽Ｂの浴槽水を浴槽Ａに移動させる際、浴槽Ｂの浴槽水の温度が浴槽Ａの設定温度よりも低いときに、浴槽Ｂの浴槽水を容易に加熱することができる。さらに、浴槽Ａの浴槽水を追いだきする場合と、浴槽Ｂの浴槽水を追いだきする場合とで、共通の浴槽水加熱経路６０を利用することができ、給湯機１のシステム構成を簡略化できる。
【００７１】
本発明は、前記した実施形態に限定されるものではなく、その趣旨を逸脱しない範囲において適宜その構成を変更することができるものである。例えば、本実施形態では、タンク１０内の湯（高温熱媒体）と水道管２１からの水（低温水）とを混合して（利用して）、一般給湯および浴槽給湯を行うタイプの給湯機１を例に挙げて説明したが、このようなタイプの給湯機に限定されず、タンク１０内の高温熱媒体と水道管２１からの水（低温水）とを熱交換して（利用して）、一般給湯および浴槽給湯を行うタイプの給湯機であってもよい。また、一般給湯についてタンク１０内の高温熱媒体と水道管２１からの水との熱交換を行い（利用して）、浴槽給湯についてタンク１０内の高温熱媒体と水道管２１からの水とを混合する（利用して）タイプの給湯機に適用してもよい。ちなみに、熱交換を行う場合には、例えば、タンク１０の上部から取り出した湯をタンク１０の下部に戻るように配管を接続し、この配管の途中に熱交換器および循環ポンプを設けることで構成できる。
【００７２】
また、本実施形態では、タンク１０の上部１０ｂから取り出した湯（高温熱媒体）と、水とを風呂混合弁Ｖ３で混合して浴槽給湯（注湯）を行う場合について説明したが、これに限定されるものではなく、タンク１０の中間部に、中間取出部の配管を設けて、この中間取出部から取り出したタンク１０内の中温水と、タンク１０の上部から取り出した高温水とを第二の風呂混合弁で混合する構成を追加してもよい。なお、湯はり時において中温水を積極的に取り出して少なくすることで、ヒートポンプユニット３の効率（ＣＯＰ：Coefficient Of Performance）を向上させることができる。
【００７３】
また、本実施形態では、貯湯ユニット２に２台の浴槽Ａ，Ｂを接続した場合について例を挙げて説明したが、２台の浴槽に限定されるものではなく、３台以上接続する構成であってもよい。例えば、１台の貯湯ユニット２に３台の浴槽（Ａ，Ｂ，Ｃ）を接続する場合には、四方弁を設けたり、または一対の三方弁を設けたりすることで対応できる。
【００７４】
また、本実施形態では、第１浴槽切替三方弁Ｖ５および第２浴槽切替三方弁Ｖ６が貯湯ユニット２内に設けられている場合を例に挙げて説明したが、図４に示すように、第１浴槽切替三方弁Ｖ５および第２浴槽切替三方弁Ｖ６を貯湯ユニット２の外部に設けるようにしてもよい。これにより、貯湯ユニット２と１台の浴槽とを接続する場合も、貯湯ユニット２と２台の浴槽とを接続する場合も、共通の貯湯ユニット２を用いることができる。よって、２台の浴槽Ａ，Ｂを接続する場合には、第１浴槽切替三方弁Ｖ５および第２浴槽切替三方弁Ｖ６が収容されたボックス（不図示）を貯湯ユニット２と接続し、そのボックスに浴槽Ａおよび浴槽Ｂとを接続する配管を接続すればよい。
【００７５】
また、風呂リモコンＲ２に、浴槽Ｂの浴槽水を浴槽Ａに移動させる浴槽水移動ボタンを設ける構成にしてもよい。この場合、浴槽水移動ボタンを操作することで、循環調整弁Ｖ７をバイパス側、第１浴槽切替三方弁Ｖ５を浴槽Ｂ側、第２浴槽切替三方弁Ｖ６を浴槽Ａ側に切換えた状態において、風呂循環ポンプＰの運転が開始されることにより、浴槽Ｂの浴槽水が、配管４９、第１浴槽切替三方弁Ｖ５、配管４４の一部、配管４６、循環調整弁Ｖ７、配管４７、第２浴槽切替三方弁Ｖ６、配管４８を通って浴槽Ａに移動される。よって、例えば、二世帯住宅（１階に浴槽Ｂ、２階に浴槽Ａ）において、浴槽Ａ側にのみ洗濯場が設けられている場合において、洗濯時に、浴槽Ｂの浴槽水を浴槽Ａに移動させることにより、浴槽Ｂの浴槽水を洗濯に利用することが可能になる。その結果、浴槽Ｂの浴槽水が無駄に捨てられるのを防止することができる。
【符号の説明】
【００７６】
１        給湯機
２        貯湯ユニット
３        ヒートポンプユニット
４        制御部
１０      タンク
２２，２４，２５，４１  配管（一般給湯経路）
２２，２６，４１〜５０  配管（浴槽給湯経路）
６０      浴槽水加熱経路
６１      追いだき熱交換器
６２，６３  配管
Ａ，Ｂ    浴槽（浴槽端末）
ＡＤ１，ＡＤ２  循環アダプタ
Ｐ        風呂循環ポンプ
Ｒ１      台所リモコン
Ｒ２，Ｒ３  風呂リモコン
Ｖ１      減圧弁
Ｖ２      給湯混合弁
Ｖ３      風呂混合弁
Ｖ４      風呂電磁弁
Ｖ５      第１浴槽切替三方弁（弁機構）
Ｖ６      第２浴槽切替三方弁（弁機構）
Ｖ７      循環調整弁
ＦＳ１    給湯流量センサ
ＦＳ２    風呂流量センサ
ＦＳＷ    水流スイッチ
ＬＳ      水位センサ
ＴＳ１    給湯温度センサ
ＴＳ２    風呂戻り温度センサ
ＴＳ３    追いだき温度センサ
【図１】
2013113514.tif 000003
【図２】
2013113514.tif 000004
【図３Ａ】
2013113514.tif 000005
【図３Ｂ】
2013113514.tif 000006
【図４】
2013113514.tif 000007